(57)【特許請求の範囲】
【請求項１】
射出シリンダ（１）のヘッド側油室とロッド側油室にそれぞれ接続されるポート（Ａ，Ｂ）を有する切換弁（２）と、前記切換弁（２）のポート（Ｐ）に接続される油圧源（６）と、ポート（Ｔ）に接続される油タンクとを有し、前記射出シリンダ（１）の前記ヘッド側油室及び前記ロッド側油室と切換弁（２）間の管路にそれぞれソレノイド（ａ）を備えたＯＮ・ＯＦＦ弁（４、５）のポート（Ｂ）が接続され、該ＯＮ・ＯＦＦ弁（４、５）の前記ポート（Ａ）は油タンクに接続されている射出成形機の射出回路の制御方法において、
前記切換弁（２）のポート（Ａ）から前記射出シリンダ（１）の前記ヘッド側油室間、前記射出シリンダ（１）の前記ヘッド側油室から前記ＯＮ・ＯＦＦ弁（４）のポート（Ｂ）間、及び前記射出シリンダ（１）のロッド側油室から前記ＯＮ・ＯＦＦ弁（５）のポート（Ｂ）間に封じ込まれた圧油を、射出・保圧工程の終了後、及びサックバック工程の終了後に、前記ＯＮ・ＯＦＦ弁（４，５）の前記ソレノイド（ａ）を消磁することで前記圧油を油タンクに開放することを特徴とする射出成形機の射出回路の制御方法。
【請求項２】
停電時に、前記ＯＮ・ＯＦＦ弁（４，５）の前記ソレノイド（ａ）を消磁することで前記圧油を油タンクに開放する、請求項１に記載の射出成形機の射出回路の制御方法。
【発明の詳細な説明】
【０００１】
【発明の属する技術分野】
本発明は、射出成形機の射出回路の制御方法に関するものである。
【０００２】
【従来の技術】
従来の射出成形機の射出回路として、例えば、図２に示す構成のものがある。同図において符号１で示されるものは射出シリンダである。この射出シリンダ１のヘッド側油室には管路を介してサーボ弁２のＡポートが接続され、ロッド側油室には管路を介して電磁弁３のＡポートが接続されている。
【０００３】
サーボ弁２と電磁弁３のＰポートは管路を介して油圧源６に接続され、それぞれのＴポートは管路を介して油タンクに接続されている。さらにサーボ弁２のＰポートと電磁弁３のＢポートは管路を介して接続されている。なお、サーボ弁２の中立位置でのシンボルはオールポートブロックとされている。
【０００４】
次に動作について説明する。
【０００５】
射出・保圧工程では、サーボ弁２は図中右のシンボル位置（パラ側）になり、同時に電磁弁３はｂソレノイドが励磁されて図中右のシンボル位置になる。これにより油圧源６からの高圧油は、サーボ弁２のポートＰ、Ａを通って射出シリンダ１のヘッド側油室に入り射出ピストンを前進（射出）させる。この時、射出シリンダ１のロッド側油室の油は電磁弁３のポートＡ、Ｔを通って油タンクに戻される。
【０００６】
サックバック工程では、電磁弁３はａソレノイドが励磁されて図中左のシンボル位置になり、同時にサーボ弁２は図中左のシンボル位置（クロス側）になる。これにより油圧源６からの高圧油は、電磁弁３のポートＰ、Ａを通って射出シリンダ１のロッド側油室に入り射出ピストンを後退（サックバック）させる。この時、射出シリンダ１のヘッド側油室の油はサーボ弁２のポートＡ、Ｔを通って油タンクに戻される。
【０００７】
【発明が解決しようとする課題】
従来の射出回路では、射出・保圧工程において、射出シリンダのピストンが所定量移動し保圧が完了すると、サーボ弁は中立位置になるため、保圧時の高圧油が射出シリンダのヘッド側油室からサーボ弁のＡポート間に封じ込まれる。また、保圧が完了するとサーボ弁と同時に電磁弁も中立位置になり、電磁弁のＡ、Ｂポートは油タンクに接続されているため、射出シリンダのロッド側圧がなくなり、ヘッド側の残圧により射出ピストンが前進する。また、射出シリンダに加わる負荷によっては、ヘッド側に圧油がこもったままとなりスクリュの交換時等において射出シリンダに加わる負荷が変化すると射出ピストンが前進してしまう。また、電磁弁の中立位置でのシンボルをオールポートブロックにすることにより、射出ピストンの前進を防ぐことができるが、サックバック工程が完了すると射出シリンダのロッド側油室と電磁弁のＡポート間に高圧油が封じ込まれ、スクリュ交換時、配管作業等のメンテナンス時にスクリュが思わぬ動きをして危険が伴う。
【０００８】
本発明は、以上のような問題を解決するためなされたものであって、射出回路の残圧による誤動作防止し、メインテナンス時の安全性の確保をも可能にした射出成形機の射出回路の制御方法を提供することを目的とする。
【０００９】
【課題を解決するための手段】
上記課題を解決するため、本発明の、射出成形機の射出回路の制御方法は、射出シリンダのヘッド側油室とロッド側油室にそれぞれ接続されるポートＡ，Ｂを有する切換弁と、切換弁のポートＰに接続される油圧源と、ポートＴに接続される油タンクとを有し、射出シリンダのヘッド側油室及びロッド側油室と切換弁間の管路にそれぞれソレノイドａを備えたＯＮ・ＯＦＦ弁のポートＢが接続され、該ＯＮ・ＯＦＦ弁のポートＡは油タンクに接続されている射出回路の制御方法において、切換弁のポートＡから射出シリンダのヘッド側油室間、射出シリンダのヘッド側油室からＯＮ・ＯＦＦ弁のポートＢ間、及び射出シリンダのロッド側油室からＯＮ・ＯＦＦ弁のポートＢ間に封じ込まれた圧油を、射出・保圧工程の終了後、及びサックバック工程の終了後に、ＯＮ・ＯＦＦ弁のソレノイドａを消磁することで圧油を油タンクに開放することを特徴とする。
また、本発明の、射出成形機の射出回路の制御方法は、停電時に、ＯＮ・ＯＦＦ弁のソレノイドａを消磁することで圧油を油タンクに開放するものであってもよい。
【００１０】
【発明の実施の形態】
本発明の実施の形態を実施例に基づき図面を参照して説明する。
【００１１】
図１は、本発明の一実施例の射出成形機の油圧回路を示す図である。
【００１２】
同図において符号１で示めされるものは射出シリンダである。この射出シリンダ１のヘッド側油室には管路を介して切換弁であるサーボ弁２のＡポート、またロッド側油室にはそのＢポートが接続されている。サーボ弁２のＰポートは管路を介して油圧源６に接続され、Ｔポートは管路を介して油タンクに接続されている。なお、サーボ弁２の中立位置のシンボルは、オールポートブロックとされている。
【００１３】
射出シリンダ１のヘッド側油室には管路を介してＯＮ・ＯＦＦ弁４のＢポートが接続され、そのＡポートは油タンクに接続されている。また、ロッド側油室には管路を介して他のＯＮ・ＯＦＦ弁５のＢポートが接続され、そのＡポートは油タンクに接続されている。
【００１４】
次に動作について説明する。
【００１５】
射出・保圧工程では、両ＯＮ・ＯＦＦ弁４，５は、ａソレノイドが励磁されて図中左のチェック弁のシンボル位置になり、油タンクへの管路を遮断している。同時にサーボ弁２が図中右のシンボル位置（パラ側）になり、これにより油圧源６からの高圧油は、サーボ弁２のポートＰ、Ａを通って射出シリンダ１のヘッド側油室に入り射出ピストンを前進（射出）させる。この時、射出シリンダ１のロッド側油室の油はサーボ弁２のポートＢ、Ｔを通って油タンクに戻される。
【００１６】
射出・保圧工程が終了するとサーボ弁２は中立位置となり、サーボ弁２のＡポートから射出シリンダ１のヘッド側油室間、射出シリンダ１のヘッド側油室からＯＮ・ＯＦＦ弁４のＢポート間および射出シリンダ１のロッド側油室からＯＮ・ＯＦＦ弁５のＢポート間に圧油が封じ込まれるが、この時、ＯＮ・ＯＦＦ弁４，５のａソレノイドが消磁されるので上記圧油は油タンクに開放される。
【００１７】
サックバック工程では、両ＯＮ・ＯＦＦ弁４，５は、ａソレノイドが励磁されて図中左のシンボル位置になり、油タンクへの管路を遮断している。同時にサーボ弁２が図中左のシンボル位置（クロス側）になり、これにより油圧源６からの高圧油は、サーボ弁２のポートＰ、Ｂを通って射出シリンダ１のロッド側油室に入り射出ピストンを後退（サックバック）させる。この時、射出シリンダ１のヘッド側油室の油はサーボ弁２のポートＡ、Ｔを通って油タンクに戻される。
【００１８】
サックバック工程が終了すると、サーボ弁２は中立位置となり、サーボ弁２のＡポートから射出シリンダ１のヘッド側油室間、射出シリンダ１のヘッド側油室からＯＮ・ＯＦＦ弁４のＢポート間および射出シリンダ１のロッド側油室からＯＮ・ＯＦＦ弁５のＢポート間に圧油が封じ込まれるが、この時、ＯＮ・ＯＦＦ弁４，５のａソレノイドは消磁されるので上記管路内の圧油は油タンクに開放される。
【００１９】
このように各工程の終了時に管路内の圧油を油タンクに開放することにより、残圧による射出ピストンの意図しない動きを防止することができる。また、停電時にもＯＮ・ＯＦＦ弁４，５のａソレノイドが消磁されるので管路内の圧油は油タンクに開放される。
【００２０】
【発明の効果】
本発明によれば、各工程後に管路内に残る高圧油を油タンクに戻すことにより、制御されない動きが防止できると共にメインテナンス作業時の圧油噴出防止などの安全性の確保も可能になる。また、単純なＯＮ・ＯＦＦ弁により圧油を油タンクに排出する構成としたので、従来のサーボ弁、電磁弁を用いた回路を、サーボ弁などの切換弁とＯＮ・ＯＦＦ弁を用いた安価な回路にすることができる。
【図面の簡単な説明】
【図１】本発明の一実施例の射出成形機の射出回路を示す図である。
【図２】従来の射出成形機の射出回路を示す図である。
【符号の説明】
１  射出シリンダ
２  切換弁（サーボ弁）
３  電磁弁
４、５  ＯＮ・ＯＦＦ弁
６  油圧源
【図１】
0004426062.tif 000002
【図２】
0004426062.tif 000003